(57)【要約】【課題】  本発明は、ファイルサイズに制限されず録音を継続できるようにする。【解決手段】  ＡＤ／ＤＡ変換回路２４及びＤＳＰ２０Ｂにより音声を符号化した符号化データＤ３をフラッシュメモリ２１上のＷＡＶ形式でなる音声ファイルＡＦ１に順次記録する際、制御部２０のＣＰＵ２０Ａにより、記録中の音声ファイルＡＦ１のサイズが音声ファイルＡＦ１の上限サイズである２［ＧＢ］に達する前に新たな音声ファイルＡＦ２を作成し、符号化データＤ３の記録先を当該新たな音声ファイルＡＦ２に切り換えさせるようにしたことにより、ＷＡＶ形式において規定された上限サイズである２［ＧＢ］に制限されることなく、フラッシュメモリ２１の空容量を完全に消費するまで録音処理を継続することができる。【選択図】        図４
2007025001.tif 000002
【特許請求の範囲】
【請求項１】
音声を符号化した符号化データを所定形式の音声ファイルに順次記録する記録手段と、
上記符号化データを上記音声ファイルに記録する際、記録中の上記音声ファイルのサイズが上記音声ファイルの上限サイズに達する前に新たな音声ファイルを作成し、上記符号化データの記録先を当該新たな音声ファイルに切り換えさせる制御手段と
を具えることを特徴とする音声記録装置。
【請求項２】
上記音声ファイルのファイル名を表示する表示手段と
を具え、
上記制御手段は、
上記符号化データの記録先を上記音声ファイルから上記新たな音声ファイルに切り換える前後で上記表示手段に表示させている上記音声ファイルのファイル名を変更させず、あたかも上記符号化データを１つの音声ファイルに記録し続けているように表示させる
ことを特徴とする請求項１に記載の音声記録装置。
【請求項３】
上記音声ファイルを認識し得る外部機器と接続する接続手段と
を具え、
上記制御手段は、
上記接続手段を介して上記外部機器と接続されたことを認識すると、上記音声ファイル及び上記新たな音声ファイルをそれぞれ本来の独立した音声ファイルとして当該外部機器に認識させる
ことを特徴とする請求項２に記載の音声記録装置。
【請求項４】
上記記録手段は、
上記音声を圧縮せずに符号化することにより上記符号化データを生成する
ことを特徴とする請求項１に記載の音声記録装置。
【請求項５】
上記記録手段は、
上記符号化データをＷＡＶ形式でなる音声ファイルに記録する
ことを特徴とする請求項４に記載の音声記録装置。
【請求項６】
音声を符号化した符号化データを所定形式の音声ファイルに順次記録する記録ステップと、
上記符号化データを上記音声ファイルに記録する際、記録中の上記音声ファイルのサイズが上記音声ファイルの上限サイズに達する前に新たな音声ファイルを作成し、上記符号化データの記録先を当該新たな音声ファイルに切り換えさせる制御ステップと
を具えることを特徴とする音声記録方法。
【請求項７】
音声記録装置に対して、
音声を符号化した符号化データを所定形式の音声ファイルに順次記録する記録ステップと、
上記符号化データを上記音声ファイルに記録する際、記録中の上記音声ファイルのサイズが上記音声ファイルの上限サイズに達する前に新たな音声ファイルを作成し、上記符号化データの記録先を当該新たな音声ファイルに切り換えさせる制御ステップと
を実行させることを特徴とする音声記録プログラム。
【発明の詳細な説明】
【技術分野】
【０００１】
本発明は音声記録装置、音声記録方法、音声記録プログラムに関し、例えば音声を符号化して半導体メモリに記録するＩＣ (Integrated Circuit) レコーダに適用して好適なものである。
【背景技術】
【０００２】
近年、ＩＣレコーダにおいては、マイクロホンによって周囲の音声を集音し、符号化データとして半導体メモリに記録するようになされており、特に容易に持ち運び得るように小型軽量に構成され、会議や講演等の様々な場所における音声を録音し得るようになされたものが普及しつつある。
【０００３】
このようなＩＣレコーダでは、１２８［ＭＢ］のように半導体メモリの記憶容量が限られているため、例えば主に人の会話の内容を聞き直すことを想定し、サンプリングレート８ｋＨｚ、４ビット量子化かつモノラル、すなわち３２［ｋｂｐｓ］といった低ビットレートで符号化データを記録することにより、会話を聞き取り得る音質を維持しながらできるだけ長時間の音声を録音し得るようになされたものがある。
【０００４】
またＩＣレコーダのなかには、ＵＳＢ (Universal Serial Bus) ケーブル等を介してパーソナルコンピュータと接続し得るようになされたものもあり、この場合、ユーザが当該パーソナルコンピュータを操作することにより、ＩＣレコーダ内に記録された音声データの編集処理等を行い得るようになされたものも提案されている（例えば、特許文献１参照）。
【特許文献１】特開２００４−２６４９１２公報（第８−９頁、第３図）
【発明の開示】
【発明が解決しようとする課題】
【０００５】
ところで、かかる構成のＩＣレコーダにおいて、楽器の演奏や人の歌声等といった音声を高音質で録音することを想定し、例えばサンプリングレートを９６［ｋＨｚ］、２４ビット量子化かつステレオ（２チャンネル）、すなわち４．６［Ｍｂｐｓ］といった高ビットレートで録音できるようにすると共に、半導体メモリの容量を４［ＧＢ］等に増加させるといったことが考えられる。
【０００６】
またこの場合、ＩＣレコーダをパーソナルコンピュータに接続した際に当該パーソナルコンピュータから当該ＩＣレコーダに記録された符号化データをファイルとして扱えるよう、当該ＩＣレコーダの半導体メモリをパーソナルコンピュータのハードディスクドライブ等と同様のＦＡＴ３２（File Allocation Table 32）形式でフォーマットし、当該符号化データをＷＡＶ形式のファイルとして保存するといった手法も考えられる。
【０００７】
しかしながら、ＷＡＶ形式の制約上、１ファイルの上限サイズは２［ＧＢ］となっている。このためＩＣレコーダは、仮に半導体メモリに何も記録されていない（すなわち空の）状態から録音を開始した場合、ファイルサイズが２［ＧＢ］に達した時点で、残りの２［ＧＢ］が空いているにも拘わらずファイルを閉じて録音を終了することになる、すなわちファイルサイズの制限により半導体メモリの容量に応じた長時間の音声を録音できないという問題があった。
【０００８】
本発明は以上の点を考慮してなされたもので、ファイルサイズに制限されず録音を継続できる音声記録装置、音声記録方法及び音声記録プログラムを提案しようとするものである。
【課題を解決するための手段】
【０００９】
かかる課題を解決するため本発明においては、音声を符号化した符号化データを所定形式の音声ファイルに順次記録する際、記録中の音声ファイルのサイズが音声ファイルの上限サイズに達する前に新たな音声ファイルを作成し、符号化データの記録先を当該新たな音声ファイルに切り換えさせるようにした。
【００１０】
これにより、音声の録音中に符号化データの記録先となる音声ファイルを切り換えることができるので、音声ファイルにおける上限サイズの影響を受けること無く、音声の録音を中断せず継続することができる。
【発明の効果】
【００１１】
本発明によれば、音声の録音中に符号化データの記録先となる音声ファイルを切り換えることができるので、音声ファイルにおける上限サイズの影響を受けること無く、音声の録音を中断せず継続することができ、かくしてファイルサイズに制限されず録音を継続できる音声記録装置、音声記録方法及び音声記録プログラムを実現できる。
【発明を実施するための最良の形態】
【００１２】
以下、図面について、本発明の一実施の形態を詳述する。
【００１３】
（１）ＩＣレコーダの構成
（１−１）外観構成
図１に示すようにＩＣ(Integrated Circuit)レコーダ１は、ユーザによって様々な場所に持ち運ばれ、それぞれの場所において周囲の音声（すなわち人の声や楽器の音等）を録音することを前提に構成されている。
【００１４】
ＩＣレコーダ１は、筐体２の表面にＬＣＤ(Liquid Crystal Display)３、当該ＬＣＤ３の上部に左チャンネル用のＶＵ (Volume Unit) メーター４及び右チャンネル用のＶＵメーター５、当該ＬＣＤ３の下部に各種操作ボタン群６が設けられている。
【００１５】
操作ボタン群６は、再生ボタン６Ａ、停止ボタン６Ｂ、録音ボタン６Ｃ、一時停止ボタン６Ｄ、早送りボタン６Ｅ、早戻しボタン６Ｆ、メニューボタン６Ｇ、ファイル分割ボタン６Ｈ及び照明ボタン６Ｉを有し、ユーザの押下操作を待ち受ける。
【００１６】
またＩＣレコーダ１は、筐体２の上部に右チャンネル用マイクロホン７及び左チャンネル用マイクロホン８が設けられており、その右チャンネル用マイクロホン７及び左チャンネル用マイクロホン８を保護するため弧状でなる金属製のカバー９及び１０が覆うように設けられている。
【００１７】
さらに筐体２の左側面にはボリューム調整摘み１１が設けられ、右側面には録音レベル調整摘み１２が設けられている。
【００１８】
実際上ＩＣレコーダ１は、音声を例えばサンプリングレートが９６［ｋＨｚ］、量子化ビット数が２４ビットかつステレオ（２チャンネル）、すなわち４．６［Ｍｂｐｓ］といった高ビットレートのデータに符号化して非圧縮のＷＡＶ形式のファイルとして保存することにより、楽器の演奏や人の歌声等のように品質が要求される音声を高音質に録音し得るようになされている（詳しくは後述する）。
【００１９】
（１−２）回路構成
図２に示すようにＩＣレコーダ１は、制御部２０によって全体を統括制御するようになされている。制御部２０は、ＣＰＵ（Central Processing Unit）２０Ａを中心に構成されており、図示しないＲＯＭ（Read Only Memory）から読み出した基本プログラムや音声記録プログラム等の各種プログラムを図示しないＲＡＭ（Random Access Memory）に展開し実行することにより、音声の録音処理や再生処理といった各種機能を実現するようになされている。
【００２０】
また制御部２０のＣＰＵ２０Ａは、操作ボタン群６の各ボタン６Ａ〜６Ｉ（図１）がユーザによって操作されたことを認識すると、当該操作に応じた処理を実行するようになされている。
【００２１】
制御部２０のＣＰＵ２０Ａは、操作ボタン群６の例えば録音ボタン６Ｃ（図１）が押下操作されたことを認識すると、まず日付や時刻等に対応したファイル名でなるＷＡＶ形式の音声ファイルＡＦをフラッシュメモリ２１内に作成すると共に、当該音声ファイルＡＦを開いて音声データを書き込み得る状態にする。
【００２２】
ちなみにフラッシュメモリ２１は、４［ＧＢ］の記憶容量を有し、ＦＡＴ３２（File Allocation Table 32）形式でフォーマットされると共に１０のフォルダが設けられており、制御部２０のＣＰＵ２０Ａは、操作ボタン群６を介した操作によって選択されたいずれか１つのフォルダに音声ファイルＡＦを作成するようになされている。
【００２３】
続いて制御部２０のＣＰＵ２０Ａは、図示しない電力制御部から右チャンネル用マイクロホン７及び左チャンネル用マイクロホン８に対して電力の供給を開始させることにより周囲の音声（すなわち人の声や楽器の音等）を集音してそれぞれ電気信号に変換し、これらをマイクロホンアンプ２２及び２３によってそれぞれ所定レベルの入力音声信号Ｓ１及びＳ２に増幅させ、当該入力音声信号Ｓ１及びＳ２をＡＤ／ＤＡ（Analog to Digital / Digital to Analog）変換回路２４へ供給させ続けるようになされている。
【００２４】
ＡＤ／ＤＡ変換回路２４は、入力音声信号Ｓ１及びＳ２をそれぞれアナログディジタル変換することにより入力音声データＤ１及びＤ２を順次生成し、これらを制御部２０のＤＳＰ（Digital Signal Processor）２０Ｂへ順次供給するようになされている。
【００２５】
制御部２０のＤＳＰ２０Ｂは、入力音声データＤ１及びＤ２を例えば０．５［秒］でなる単位時間毎に区切り、当該時間単位毎に線形符号化処理を施すと共に２チャンネル分のデータを１つにまとめることによりリニアＰＣＭ（Pulse Code Modulation）方式の符号化データＤ３を順次生成し、これらをフラッシュメモリ２１へ順次供給するようになされている。
【００２６】
このとき制御部２０のＣＰＵ２０Ａは、符号化データＤ３をフラッシュメモリ２１の音声ファイルＡＦに順次書き込むことにより、当該音声ファイルＡＦのファイルサイズを順次増加させながら録音処理を継続するようになされている。
【００２７】
またＡＤ／ＤＡ変換回路２４は、アナログディジタル変換により生成した直後の入力音声データＤ１及びＤ２をディジタルアナログ変換することによりアナログの音声信号Ｓ３及びＳ４を生成し、これらをヘッドホンアンプ２５及び２６によって増幅させた後、ヘッドホン端子１４に接続された外部のヘッドホン４０へ送出することにより、当該ヘッドホン４０を介して現在録音中の音声をユーザに試聴（モニタ）させ得るようになされている。
【００２８】
さらに制御部２０のＣＰＵ２０Ａは、例えば図３に示すように、左チャンネルの音量レベル及び右チャンネルの音量レベルを表示するピークレベルメータ表示部７１、録音中であることを示すＲＥＣマーク７２、再生時間、録音経過時間や録音可能残時間等を示す時間表示部７３、メモリースティック（登録商標）の有無及びバッテリー残量を示すアイコン表示部７４、フォルダ番号（この場合「０３」）、ファイル数（この場合「２９／２９」）及びファイル名（この場合「05012403.wav」）を示すファイル表示部７５、サンプリングレート（この場合「96.00kHz」）、量子化ビット数（この場合「２４ビット」）等の詳細情報表示部７６、ＩＣレコーダ１全体のフラッシュメモリ２１に対する使用割合をバーの長さで表したメモリアイコン７７により示すメモリ残容量表示部７８からなる表示画面７０をＬＣＤ３に表示することにより、録音レベルや録音経過時間等の録音状態をユーザに視認させるようになされている。
【００２９】
ちなみに制御部２０のＣＰＵ２０Ａは、操作ボタン群６の停止ボタン６Ｂ（図１）が操作された時点で当該音声ファイルＡＦを閉じ、一連の録音処理を終了するようになされている。
【００３０】
このようにＩＣレコーダ１は、操作ボタン群６の録音ボタン６Ｃが操作されると、周囲の音声を電気信号に変換し、増幅、アナログディジタル変換、符号化等の処理を順次施すことにより生成した符号化データＤ３をフラッシュメモリ２１の音声ファイルＡＦに順次記録していくようになされている。
【００３１】
ところでＩＣレコーダ１は、ＵＳＢインタフェース２７を介してパーソナルコンピュータ（図示せず）と接続されることにより、当該パーソナルコンピュータとの間で音声ファイルＡＦの転送処理を行い得るようになされている。
【００３２】
実際上制御部２のＣＰＵ２０Ａは、ＵＳＢインタフェース２７がＵＳＢケーブル（図示せず）によりパーソナルコンピュータと接続されたことを認識すると、ＩＣレコーダ１単体で上述した録音処理などを行い得る「単独動作モード」から「ストレージモード」に動作モードを変更することにより、フラッシュメモリ２１を当該パーソナルコンピュータの外部ストレージとして利用できるように、すなわち当該パーソナルコンピュータのＯＳ（Operating System）から１つのドライブとして認識させる。
【００３３】
このときパーソナルコンピュータは、フラッシュメモリ２１に記録されている音声ファイルＡＦを通常のＷＡＶ形式のファイルとして認識することができ、ユーザの操作に基づいて当該音声ファイルＡＦをファイル単位でコピー又は移動したり、あるいは専用の音声編集プログラム等を用いて編集処理を行うことができる。
【００３４】
なお制御部２のＣＰＵ２０Ａは、ＵＳＢインタフェース２７からＵＳＢケーブル（図示せず）が取り外されたことを認識すると、動作モードを「ストレージモード」から「単独動作モード」に戻すことにより、ＩＣレコーダ１単体で上述した録音処理等の各種処理を行い得るようになされている。
【００３５】
このようにＩＣレコーダ１は、ＵＳＢインタフェース２７を介してパーソナルコンピュータと接続された場合、フラッシュメモリ２１を当該パーソナルコンピュータの外部ストレージとして認識させ、音声ファイルＡＦを通常のＷＡＶ形式のファイルとして取り扱わせるようになされている。
【００３６】
（２）録音処理
ところでＩＣレコーダ１は、上述したように記憶容量が４［ＧＢ］のフラッシュメモリ２１を有しているため、例えばユーザが当該フラッシュメモリ２１の記憶容量を目一杯使用して長時間の連続した録音を行う可能性がある。
【００３７】
しかしながら、音声ファイルＡＦのファイル形式であるＷＡＶ形式では、１ファイルの上限サイズが２［ＧＢ］と規定されており、ＩＣレコーダ１は２［ＧＢ］を超える符号化データＤ３を１つの音声ファイルＡＦに書き込むことができない。
【００３８】
ちなみに、仮にＩＣレコーダ１が音声ファイルＡＦを２［ＧＢ］以上のサイズとした場合、互換性の問題により、当該ＩＣレコーダ１と接続されたパーソナルコンピュータから当該音声ファイルＡＦを正常なＷＡＶ形式のファイルとしては扱えなくなってしまう。
【００３９】
そこでＩＣレコーダ１は、録音処理を長時間継続して２［ＧＢ］を超える符号化データＤ３をフラッシュメモリ２１に書き込む場合、音声ファイルＡＦ（以下、これを音声ファイルＡＦ１と呼ぶ）のサイズが２［ＧＢ］を超える直前に新たな音声ファイルＡＦ（以下、これを音声ファイルＡＦ２と呼ぶ）を作成し、符号化データＤ３の書込先を音声ファイルＡＦ１から音声ファイルＡＦ２に切り換えることにより、２つの音声ファイルＡＦに分割して当該符号化データＤ３を書き込むようになされている。
【００４０】
ちなみに制御部２０は、音声ファイルＡＦ２の作成処理に要する時間を考慮し、音声ファイルＡＦ１のサイズが２［ＧＢ］となる少し前の１．９６［ＧＢ］となった段階で音声ファイルＡＦ２の作成を開始し、音声ファイルＡＦ１のサイズが２［ＧＢ］となる直前に符号化データＤ３の書込先を音声ファイルＡＦ２に切り換えることにより、音声ファイルＡＦの利用効率を高めると共に録音処理を途切れさせないようになされている。
【００４１】
さらにＩＣレコーダ１は、符号化データＤ３の書込先を音声ファイルＡＦ１から音声ファイルＡＦ２に切り換える際、実際の音声ファイルＡＦ１及び音声ファイルＡＦ２のファイル名が異なっているものの、表示画面７０（図３）のファイル表示部７５に表示したファイル名を変更しないことにより、音声を２つの音声ファイルＡＦに分けて記録していることをユーザに意識させないようになされている。
【００４２】
ここで、実際にＩＣレコーダ１が周囲の音声を録音する際の録音処理手順について、図４のフローチャートを用いて説明する。
【００４３】
ＩＣレコーダ１の制御部２０は、操作ボタン群６の録音ボタン６Ｃ（図１）が押下操作されたことを認識すると、録音処理手順ＲＴ１を開始してステップＳＰ１へ移る。ステップＳＰ１において制御部２０は、フラッシュメモリ２１の現在選択されているフォルダ内に音声ファイルＡＦ１を作成すると共に当該音声ファイルＡＦ１を開いて符号化データＤ３を書き込み得る状態にし、次のステップＳＰ２へ移る。
【００４４】
ステップＳＰ２において制御部２０は、現時点における音声ファイルＡＦ１のファイルサイズが２［ＧＢ］の直前である１．９６［ＧＢ］に達したか否かを判定する。ここで否定結果が得られると、このことは音声ファイルＡＦ１にまだ符号化データＤ３を追加して書き込み得ることを表しており、このとき制御部２０は次のステップＳＰ４へ移る。
【００４５】
一方、ステップＳＰ２において肯定結果が得られると、このことは音声ファイルＡＦ１にこれ以上符号化データＤ３を書き込めないことを表しており、このとき制御部２０は次のステップＳＰ３へ移る。
【００４６】
ステップＳＰ３において制御部２０は、フラッシュメモリ２１の音声ファイルＡＦ１を閉じると共に、当該音声ファイルＡＦ１と同一のフォルダに新たな音声ファイルＡＦ２を作成して開き、符号化データＤ３の書込先を音声ファイルＡＦ１から当該音声ファイルＡＦ２に変更し、表示画面７０（図３）のファイル表示部７５に表示したファイル名を変更せずに次のステップＳＰ４へ移る。
【００４７】
ステップＳＰ４において制御部２０は、フラッシュメモリ２１に空容量があるか否かを判定する。ここで肯定結果が得られると、このことは当該フラッシュメモリ２１に対してまだ符号化データＤ３を書き込み得ること、すなわち録音処理を継続できることを表しており、このとき制御部２０は次のステップＳＰ５へ移る。
【００４８】
ステップＳＰ５において制御部２０は、単位時間（すなわち０．５［秒］間）分の符号化データＤ３をこの時点で開いている音声ファイルＡＦ（すなわち音声ファイルＡＦ１又は音声ファイルＡＦ２）に書き込み、次のステップＳＰ６へ移る。
【００４９】
ステップＳＰ６において制御部２０は、操作ボタン群６の停止ボタン６Ｂ（図１）が押下操作されたか否かを判定する。ここで否定結果が得られると、このことはユーザがまだ録音処理を継続する意思を持っていることを表しており、このとき制御部２０は再度ステップＳＰ２へ戻り、符号化データＤ３を音声ファイルＡＦに書き込む一連の処理を繰り返す。
【００５０】
一方ステップＳＰ４において否定結果が得られると、このことは既にフラッシュメモリ２１に合計４［ＧＢ］分の符号化データＤ３を書き込み、これ以上新たな符号化データＤ３を追加できないことを表しており、このとき制御部２０は次のステップＳＰ７へ移る。
【００５１】
またステップＳＰ６において肯定結果が得られると、このことはユーザが録音を停止する意思を示したことを表しており、このとき制御部２０は次のステップＳＰ７へ移る。
【００５２】
ステップＳＰ７において制御部２０は、現在開いている音声ファイルＡＦを閉じ、電力制御部（図示せず）により右チャンネル用マイクロホン７及び左チャンネル用マイクロホン８（図２）に対する電力の供給を停止させると共にマイクロホンアンプ２２及び２３、ＡＤ／ＤＡ変換回路２４及び制御部２０のＤＳＰ２０Ｂ等における一連の処理を停止させた後、次のステップＳＰ８へ移って録音処理手順ＲＴ１を終了する。
【００５３】
（３）パーソナルコンピュータにおける音声ファイルの表示
ところでＩＣレコーダ１は、上述したように、録音処理を継続することにより符号化データＤ３が２［ＧＢ］以上となる場合、当該符号化データＤ３を最初は音声ファイルＡＦ１に書き込み、途中から音声ファイルＡＦ２に切り換えて書き込むものの、切換の前後において表示画面７０（図３）のファイル表示部７５に表示したファイル名（この場合「05012403.wav」）を敢えて変更しないようになされている。
【００５４】
すなわちＩＣレコーダ１は、フラッシュメモリ２１内の音声ファイルＡＦのファイル名を加工した上でユーザに提示するようになされている。
【００５５】
一方ＩＣレコーダ１は、上述したようにＵＳＢケーブル（図示せず）によりパーソナルコンピュータ（図示せず）と接続された場合、動作モードを「ストレージモード」に変更することにより、フラッシュメモリ２１を当該パーソナルコンピュータの外部ストレージドライブとして認識させる。
【００５６】
このときＩＣレコーダ１は、フラッシュメモリ２１内の音声ファイルＡＦのファイル名等を加工せずにそのままパーソナルコンピュータに通知することにより、例えば図５に示すように、当該フラッシュメモリ２１内に実際に保存されている音声ファイルＡＦ１（この場合「05012403-01.wav」）及び音声ファイルＡＦ２（この場合「05012403-02.wav」）を当該パーソナルコンピュータに対してそれぞれ本来の独立したファイルとして認識させ、当該パーソナルコンピュータにおける表示画面上のウィンドウＷに表示するようになされている。
【００５７】
（４）動作及び効果
以上の構成において、ＩＣレコーダ１は、操作ボタン群６の録音ボタン６Ｃ（図１）が押下操作されると、フラッシュメモリ２１内にＷＡＶ形式の音声ファイルＡＦ１を作成し、音声を符号化した符号化データＤ３を当該音声ファイルＡＦ１に順次書き込んでいく。
【００５８】
このときＩＣレコーダ１は、音声ファイルＡＦ１のサイズが２［ＧＢ］を超える直前に音声ファイルＡＦ２を作成し、符号化データＤ３の書込先を当該音声ファイルＡＦ２に切り換えて録音処理を継続する。
【００５９】
従ってＩＣレコーダ１は、符号化データＤ３をそれぞれ２［ＧＢ］以内でなる音声ファイルＡＦ１及び音声ファイルＡＦ２に切り換えて書き込むことができるため、ＷＡＶ形式において規定された上限サイズである２［ＧＢ］に制限されることなく、フラッシュメモリ２１の空容量を使い切るまで録音処理を継続することができる。
【００６０】
このときＩＣレコーダ１は、２［ＧＢ］以内にファイルサイズを抑えることによりファイル形式の互換性を維持できるので、外部のパーソナルコンピュータ等において音声ファイルＡＦ１及び音声ファイルＡＦ２を通常のＷＡＶ形式のファイルとして扱わせることができ、さらに一般の音声編集プログラム等によってユーザにオーディオ編集処理を行わせることもできるので、互換性を無視して専用のファイル形式を採用した場合と比較して利便性を格段に向上させることができる。
【００６１】
またＩＣレコーダ１は、表示画面７０（図３）のファイル表示部７５に表示したファイル名を敢えて変更しないため、ＷＡＶ形式における２［ＧＢ］の制約によって２つの音声ファイルＡＦ１及び音声ファイルＡＦ２にまたがって録音していることをユーザに意識させること無く、１回の録音処理においてあたかも１つの音声ファイルＡＦが生成されているかのように認識させることができる。
【００６２】
さらにＩＣレコーダ１は、外部のパーソナルコンピュータ等と接続された際には、フラッシュメモリ２１に記録されている音声ファイルＡＦのファイル名等を敢えてそのまま通知することにより、音声ファイルＡＦの管理や編集処理を行いたいユーザに対して、音声ファイルＡＦ１及び音声ファイルＡＦ２の２つのファイルに分割されて記録されていること及びそのファイル名を正確に認識させることができる。
【００６３】
以上の構成によれば、ＩＣレコーダ１は、音声を符号化した符号化データＤ３を当該音声ファイルＡＦ１に順次書き込む際に、当該音声ファイルＡＦ１のサイズが２［ＧＢ］を超える直前に音声ファイルＡＦ２を作成し、符号化データＤ３の書込先を当該音声ファイルＡＦ２に切り換えて録音処理を継続することにより、ＷＡＶ形式において規定された上限サイズである２［ＧＢ］に制限されることなく、フラッシュメモリ２１の空容量を使い切るまで録音処理を継続することができ、かくしてファイルサイズに制限されず録音を継続することができる。
【００６４】
（５）他の実施の形態
なお上述した実施の形態においては、符号化データＤ３の書込先を音声ファイルＡＦ１から音声ファイルＡＦ２に切り換えた際に、表示画面７０（図３）のファイル表示部７５に表示したファイル名を変更しないようにした場合について述べたが、本発明はこれに限らず、敢えてファイル表示部７５のファイル名を変更するようにし、符号化データＤ３の書込先を音声ファイルＡＦ１から音声ファイルＡＦ２に切り換えたことを積極的にユーザに通知するようにしても良い。
【００６５】
また上述した実施の形態においては、ＩＣレコーダ１がパーソナルコンピュータ（図示せず）と接続された場合、図５に示したように、当該フラッシュメモリ２１内に実際に記録されている音声ファイルＡＦ１及び音声ファイルＡＦ２をそれぞれ本来のファイル名で独立したファイルとして表示画面上に表示するようにした場合について述べたが、本発明はこれに限らず、例えばパーソナルコンピュータ上で当該ＩＣレコーダ１専用のファイル操作プログラムを実行させ、当該ファイル操作プログラム上で音声ファイルＡＦ１及び音声ファイルＡＦ２を１つの音声ファイルとして扱うようにしても良い。
【００６６】
またこの場合、ＩＣレコーダ１はパーソナルコンピュータ以外にも、ＵＳＢケーブルを介して例えば専用の音声編集装置等、種々の外部機器と接続するようにしても良い。
【００６７】
さらに上述した実施の形態においては、フラッシュメモリ２１の記憶容量が４［ＧＢ］であり、ＷＡＶ形式の上限サイズが２［ＧＢ］であるために、符号化データＤ３を２つの音声ファイルＡＦに分割して書き込むようにした場合について述べたが、本発明はこれに限らず、例えばフラッシュメモリ２１の記憶容量が８［ＧＢ］や１６［ＧＢ］である場合に、符号化データＤ３を２［ＧＢ］毎の４つや８つの音声ファイルＡＦに分割して書き込むようにしても良い。
【００６８】
さらに上述した実施の形態においては、ＷＡＶ形式で音声ファイルＡＦを作成し符号化データＤ３を書き込むようにした場合について述べたが、本発明はこれに限らず、ＭＰ３形式やＡＴＲＡＣ３形式等、種々のファイル形式でなる音声ファイルＡＦに符号化データＤ３を書き込むようにしても良く、そのうえ圧縮処理を行うようにしても良い。
【００６９】
さらに上述した実施の形態においては、音声ファイルＡＦの上限サイズが２［ＧＢ］に規定されている場合について述べたが、本発明はこれに限らず、例えば１［ＧＢ］や４［ＧＢ］等、音声ファイルＡＦの上限サイズが様々に規定されている場合に本発明を適用するようにしても良い。
【００７０】
さらに上述した実施の形態においては、ファイル形式（すなわちＷＡＶ形式）の上限サイズである２［ＧＢ］毎に音声ファイルＡＦを分割するようにした場合について述べたが、本発明はこれに限らず、例えばＩＣレコーダ１におけるハードウェア上の制約により音声ファイルＡＦを１［ＧＢ］毎に分割する等、種々の制約条件により定められる上限サイズに従って当該音声ファイルＡＦを分割するようにしても良い。
【００７１】
さらに上述した実施の形態においては、フラッシュメモリ２１に音声ファイルＡＦを作成して符号化データＤ３を書き込むＩＣレコーダ１に本発明を適用するようにした場合について述べたが、本発明はこれに限らず、例えばハードディスクドライブに音声ファイルＡＦを作成して符号化データＤ３を書き込むハードディスクレコーダ等、音声を符号化して音声ファイルに記録する種々の音声記録装置に適用するようにしても良い。
【００７２】
さらに上述した実施の形態においては、ＩＣレコーダ１が制御部２０のＲＯＭ（図示せず）に予め格納された音声記録プログラムに従って録音処理手順ＲＴ１（図４）を実行するようにした場合について述べたが、本発明はこれに限らず、例えば当該音声記録プログラムをフラッシュメモリ２１等の他の記憶媒体に格納しておくようにしたり、当該音声記録プログラムをメモリースティック（登録商標）等の交換可能な記憶媒体に格納しておき、メモリースティックスロット（図示せず）等を介して当該音声記録プログラムを読み出して実行するようにしたり、或いはＵＳＢインタフェース２７を介してパーソナルコンピュータ（図示せず）等から当該音声記録プログラムを取得するようにしても良い。この場合、圧縮されたデータを伸張したり、或いはインストールプログラムを実行することにより音声記録プログラムを復元するようにしても良い。
【００７３】
さらに上述した実施の形態においては、記録手段としてのＡＤ／ＤＡ変換回路２４、ＤＳＰ２０Ｂ及びフラッシュメモリ２１と、制御手段としてのＣＰＵ２０Ａとによって音声記録装置としてのＩＣレコーダ１を構成する場合について述べたが、本発明はこれに限らず、その他種々の回路構成でなる記録手段と、制御手段とによって音声記録装置を構成するようにしても良い。
【産業上の利用可能性】
【００７４】
本発明は、音声を符号化してファイルに記録する種々の音声記録装置でも利用できる。
【図面の簡単な説明】
【００７５】
【図１】ＩＣレコーダの外観構成を示す略線的斜視図である。
【図２】ＩＣレコーダの回路構成を示すブロック図である。
【図３】表示内容を示す略線図である。
【図４】録音処理手順を示す略線図である。
【図５】パーソナルコンピュータにおける音声ファイルの表示の様子を示す略線図である。
【符号の説明】
【００７６】
１……ＩＣレコーダ、６……操作ボタン群、７……右チャンネル用マイクロホン、８……左チャンネル用マイクロホン、２０……制御部、２０Ａ……ＣＰＵ、２０Ｂ……ＤＳＰ、２１……フラッシュメモリ、２２、２３……マイクロホンアンプ、２４……ＡＤ／ＤＡ変換回路、２７……ＵＳＢインタフェース、Ｓ１、Ｓ２……音声信号、Ｄ１、Ｄ２……音声データ、Ｄ３……符号化データ。
【図１】
2007025001.tif 000003
【図２】
2007025001.tif 000004
【図３】
2007025001.tif 000005
【図４】
2007025001.tif 000006
【図５】
2007025001.tif 000007